(57)【特許請求の範囲】
【請求項１】
患者モニタ装置において、
複数のセンサから受信された患者データ信号を実質的に連続動作により受け取り、処理し、そして表示するために、患者に取り付けられた複数のセンサに結合するよう適合された信号プロセッサとディスプレイとを有するポータブルモニタを有しており、前記患者データの動作の処理、及び、表示の少なくとも１つを、複数の、異なった患者データ信号処理、又は、複数の、異なった患者データ信号表示動作の選択された動作のうちの選択されたものを提供するように各々制御可能であるポータブルモニタによってシグナリングし、
少なくとも２つの地理的に離れた患者モニタリング区域に亘って分布された通信ネットワーク、
および
少なくとも１つのドッキングステーションが前記少なくとも２つの患者モニタ区域の各々に設置され、そして前記通信ネットワークを通してそれらの間に患者データの伝送のために互いに接続されている、少なくとも２つのドッキングステーションを有しており、ここにおいて
各ドッキングステーションが、
ポータブルモニタをドッキングステーションに取り外し可能な形で結合させるための装置と、
ポータブルモニタがドッキングステーションに結合しているとき、ポータブルモニタとドッキングステーションとの間に患者データを転送するための第１転送装置と、そして
ポータブルモニタがドッキングステーションに結合しているとき、ポータブルモニタにドッキングステーションからモニタセットアップ情報を転送するための第２転送装置を含んでおり、前記モニタセットアップ情報によって、ポータブルモニタの患者データ信号処理動作又は患者データ信号表示動作の少なくとも１つが制御されることにより、前記ポータブルモニタによって、複数の異なった患者データ信号処理の選択されたもの、又は、複数の異なった患者データ信号表示動作の選択されたものの各々が提供されることを特徴とする、モニタ装置。
【請求項２】
前記ポータブルモニタを前記ドッキングステーションに最初に接続することによって、第２転送装置が前記ドッキングステーションから前記ポータブルモニタへの前記セットアップ情報を転送するような、請求項第１項記載の装置。
【請求項３】
前記ポータブルモニタを前記ドッキングステーションに最初に接続することによって、第２転送装置が、前記ドッキングステーションから前記ポータブルモニタに提供される前記セットアップ情報を自動的に転送するような、請求項第２項記載の装置。
【請求項４】
ドッキングステーションが物理的に設けられている患者モニタ区域に特定のセットアップ情報を蓄積するために、各ドッキングステーションが不揮発性メモリ、前記不揮発性メモリは前記第２転送装置に結合されている、を含むような、請求項第１項記載の装置。
【請求項５】
前記メモリ内に記憶されたセットアップ情報が、ディスプレイコントロールを含むモニタコンフィグレーション情報、及び、前記モニタが特定のソフトウェアアプリケーションを用いて前記患者データ信号を処理することができるソフトウェアアプリケーション情報を含むような、請求項第４項記載の装置。
【請求項６】
前記不揮発性メモリは、前記区域特性セットアップ情報がロードされた、取り外し可能な、プログラマブルリードオンリーメモリ（ＥＥＰＲＯＭ）を含むような、請求項第１項記載の装置。
【請求項７】
前記ポータブルモニタがまた、ポータブルモニタによって現在使用されているセットアップ情報を蓄積するための電池バックアップされたメモリ（ＢＲＡＭ）を含むような、請求項第５項記載の装置。
【請求項８】
前記メモリ内に蓄積される前記セットアップ情報が、ディスプレイ制御および、前記モニタが特定のソフトウェアアプリケーションによって前記患者データ信号を処理することができるソフトウェアアプリケーション情報を含んでいるモニタ構成情報を含むような、請求項第４項記載の装置。
【請求項９】
前記ポータブルモニタがデフォルトモニタ情報を蓄積するための不揮発性メモリを含んでいるモニタ構成情報を含むような、請求項第５項記載の装置。
【請求項１０】
前記メモリ内に蓄積される前記セットアップ情報が、前記ドッキングステーションが前記モニタに前記セットアップ情報を転送しない状態において、特定のソフトウェアアプリケーションを用いて前記モニタが前記患者データ信号を処理することができるデフォルトディスプレイ制御および、デフォルトソフトウェアアプリケーション情報を含むモニタデフォルト構成情報を含むような、請求項第６項記載の装置。
【発明の詳細な説明】
【０００１】
【発明の属する技術分野】
本発明は、医療用装置に、そして特に医療用データを連続的に収集し、蓄積しそして表示するためのポータブル患者モニタ装置に関する。
【０００２】
【従来の技術】
病院および他の健康管理施設においては、患者からの種々の医療データを連続的に収集し、そして分析することがしばしば必要となる。これらのデータは、心電図、体温、血圧、呼吸、脈拍および他のパラメータを含んでいる。
【０００３】
患者モニタ装置は標準的に、２つの大きなカテゴリのうちのいずれか一方に属するものであり、その１つは全ての必要とされるデータを処理し収集する、しかし大きくそして移送が困難な、多機能監視、記録および表示装置であり、他方は、移送は容易であるがしかし、より少ないデータの型式を処理し、収集する、そして制限された蓄積容量を持つ、ポータブル装置である。（たとえば救急車または救急処置室における）初期的には、患者は簡単な、ポータブルモニタに接続され、ＥＫＧまたは非侵入血圧のような、制限された数の医療属性を観察される。患者が（たとえば集中治療病棟または手術室のような）より高度な治療施設に移されると、付加的なパラメータを観察するために、それら簡単なモニタを増強することが望ましくなる。一般的には、このことは患者を簡単なモニタから接続外しし、そして患者をより大きな能力を持つモニタ装置に接続することによって行われる。
【０００４】
緊急状況下においては、データ収集および表示の連続性の必要が最も差し迫ったものである。緊急状況においては、患者がベッドから手術室または集中治療病棟に移送される速度が実質的に患者の生存機会に衝撃を与える。固定されたベッドサイドにおけると同様、移送においても同じモニタレベルを提供することが重要である。臨床的な観点からは、患者を追跡する連続的なモニタ能力およびデータ履歴入手を提供することが望ましい。
【０００５】
移送用モニタ装置の設計における２つの重要な課題は、装置の再構成の容易さと速度である。固定された場所のモニタ装置に結合された１組のセンサを患者から接続外しし、そして次に移送または危急な処理の管理の直前にポータブルモニタに新しい１組のセンサを結合させることは、望ましいことではない。個々のセンサの接続外し／再接続によって、固定された場所のモニタ装置から、移送のためのポータブルモニタ装置に、モニタ装置を切り替えることもまた望ましくない。
【０００６】
本発明と同じ代理人に委託された、運搬可能なモジュラ患者モニタと題する米国特許第５，３７５，６０４号は、物理的および電気的の両方で運搬可能な患者モニタを支持するドッキングステーションを含む形式の運搬可能な患者モニタ装置を説明している。
【０００７】
上記の’６０４特許において説明された装置が従来技術を越えた多大な改善であるとしても、さらに改善が望まれる。この点においては、患者治療域が病院または他の健康管理施設内に地理的に分散しているということに注目する必要がある。伝統的にそれらの区域の各々には、たとえば、ユーザーの好みに応じた固定された構成（または構成の組）、およびソフトウェアアプリケーションの固定された組のような、固定されたセットアップを持つ患者モニタが備えられている。構成アイテムの例は、生理学的アラーム限界、（波形表示優先、波形サイズ、表示速度および輝度等のような）表示スクリーンレイアウトおよびスピーカ音量を含んでいる。ソフトウェアアプリケーションの例は、不整脈波形のリコールおよびエディット、他の患者モニタの遠隔監視および血行パラメータのグラフィックな計算、を含んでいる。近年、ポータブルモニタ装置はよりポピュラーになっている。しかし、これらの装置もまた固定された構成を持っており、そして固定されたソフトウェアアプリケーションの組を使用している。
【０００８】
各区域で同じ型式の患者モニタを用いることができ、そしてその意志があるとしても、各々は標準的に異なるセットアップ、すなわちそのモニタが構成される方法およびそれらが稼動するソフトウェアアプリケーションの型式、が必要である。たとえば、手術室（ＯＲ）は極めて明るいディスプレイセッティングと、心臓不整脈を分析するソフトウェアアプリケーションとを持つモニタを必要とする。集中治療病棟（ＩＣＵ）は、不整脈分析を必要とはしないが、しかし薬剤投与を計算するためのソフトウェアアプリケーションを必要とする。加えて、ＩＣＵは低いディスプレイ輝度を持つように構成された、そして異なる波形優先を持つモニタを必要とするであろう。
【０００９】
１つの患者治療域から多へとモニタが移動する都度、種々のモニタ構成および種々のソフトウェアアプリケーションの組を持つよう、種々のセットアップを持つことができるポータブル患者モニタであるような患者モニタ装置を備えることが望ましい。
【００１０】
モニタが１つの患者モニタ域から他へと移動する時、そのような種々のセットアップが容易に行えることが望まれる。新しい区域において規定されるようなモニタセットアップの自動再構成もまた望まれる。
【００１１】
【発明が解決しようとする課題】
そのような再構成可能なポータブル患者モニタ装置を提供することが本発明の１つの目的である。
【００１２】
手術室または集中治療病棟に移送するために患者およびモニタ装置を準備するために必要な極めて貴重な時間を節減させるために、装置を再構成するために必要とされる段階が容易に、迅速にそして高信頼度で実行できるような、再構成可能なポータブル患者モニタ装置を提供することが、本発明の付加的な目的である。
【００１３】
【課題を解決するための手段】
複数のセンサから受信された患者データ信号を実質的に連続動作により受け取り、処理し、そして表示するために、患者に取り付けられた複数のセンサに結合するよう適合された信号プロセッサとディスプレイとを有するポータブルモニタを有しており、患者データの動作の処理、及び、表示の少なくとも１つを、複数の、異なった患者データ信号処理、又は、複数の、異なった患者データ信号表示動作の選択された動作のうちの選択されたものを提供するように各々制御可能であるポータブルモニタによってシグナリングし、少なくとも２つの地理的に離れた患者モニタリング区域に亘って分布された通信ネットワーク、および少なくとも１つのドッキングステーションが少なくとも２つの患者モニタ区域の各々に設置され、そして通信ネットワークを通してそれらの間に患者データの伝送のために互いに接続されている、少なくとも２つのドッキングステーションを有しており、ここにおいて各ドッキングステーションが、ポータブルモニタをドッキングステーションに取り外し可能な形で結合させるための装置と、ポータブルモニタがドッキングステーションに結合しているとき、ポータブルモニタとドッキングステーションとの間に患者データを転送するための第１転送装置と、そしてポータブルモニタがドッキングステーションに結合しているとき、ポータブルモニタにドッキングステーションからモニタセットアップ情報を転送するための第２転送装置とを含んでおり、モニタセットアップ情報によって、ポータブルモニタの患者データ信号処理動作又は患者データ信号表示動作の少なくとも１つが制御されることにより、ポータブルモニタによって、複数の異なった患者データ信号処理の選択されたもの、又は、複数の異なった患者データ信号表示動作の選択されたものの各々が提供される。
【００１４】
【実施例】
本発明によってポータブルモニタを再構成するための、ドッキングステーション１１１を含む患者モニタドッキングステーション装置１００の一例が図１に示されている。ポータブルモニタ１０２は、患者からの生理学的データを収集するための侵入形および非侵入形機器の両方を含むことができる（示されていない）複数のセンサからの生理学的データ信号を取得する。ポータブルモニタ１０２は生理学的データを表示し、そして患者データ信号をドッキングステーション１１１に伝送する（当業技術者にとっては述語「患者データ」は以下に用いられるように、患者に取り付けられた複数のセンサによって生じた信号から得られる処理された情報を指していることを理解すべきである。こうして、「患者データ」は本明細中ではたとえば、スレーブディスプレイを駆動するための赤、緑および青のラスタースキャンビデオ信号を、または周辺機器を制御するためのステータスおよび制御情報を提供するための信号を含むことができる）。ドッキングステーション１１１は、モニタ１０２がドッキングステーション上に取り付けられている間は、ポータブルモニタ１０２に電力を供給し、そして通信サービスを行う。搭載機構は、移送のための（機械的におよび電気的に、の両方で）ドッキングステーション１１１とモニタ１０２の迅速な接続／接続解除用に設けられる。個々のケーブルまたはコネクタを取り扱うことなく、モニタ系統内の別の場所にモニタを移送するため、モニタ１０２をユーザーが容易に「取りあげそして移動する」ことができるよう、この接続／接続解除は単独ステップで実行できることが望ましい。
【００１５】
ドッキングステーション１１１は、３つのモジュールコンポーネントを含んでいる。最初の２つのコンポーネントは、それぞれモニタおよび周辺ドッキングステーションプラットフォーム１１０’および１１０”である。ポータブルモニタ１０２を支持するドッキングステーションプラットフォームは、モニタドッキングステーション１１０’として解釈され、そして周辺機器を支持するドッキングステーションプラットフォームは周辺ドッキングステーション１１０”として解釈される。ポータブルモニタ１０２は、たとえば患者のベッドの近くまたはベッドフレームに取り付けられるかして、患者領域に位置決めされるドッキングステーションプラットフォーム１１０’上に置くことができる。周辺ドッキングステーション１１０”は、ストリップチャートレコーダ１６４または他のそのような機器のような、周辺装置のための機械的支持および電気的接続を提供する。周辺ドッキングステーション１１０”は、それら周辺機器のために、ローカルエリアネットワークおよびポータブルモニタ１０２との通信手段を提供する。周辺ドッキングステーション１１０”は、モニタドッキングステーション１１０’と殆ど同等の機械的形状および機能を持っているが、しかしこれは異なる電気的コネクタを持ち、そしてポータブルモニタが周辺ドッキングステーションに接続されることを、そしてその逆も、防止するような方法で保護されている。以下に用いられるように、述語、ポータブル機器はドッキングステーションプラットフォーム１１０上に取り付けることができるポータブルモニタ１０２、レコーダ１６４または他の機器を含んでいる。
【００１６】
ドッキングステーションプラットフォーム１１０は、ベッドサイドディスプレイ１２０、動作用電源１３４、および大型ビデオディスプレイ１２４への接続と同様、ポータブルモニタ１０２およびレコーダ１６４のための機械的支持をも提供する。ドッキングステーション１１１はまた、カップリング１７０、１７２および１７４を通して複数のローカルエリアネットワーク（ＬＡＮ）と通信することができ、そしてネットワークを通してコンピュータまたはインテリジェントワークステーション１２２との通信を提供する。ドッキングステーション１１１は、各機器またはネットワークに関する個々のケーブルを接続する必要なく、ポータブルモニタ機器をいくつかの機器およびネットワークに接続するための簡単な機構を提供する。ドッキングステーションプラットフォーム１１０上の、およびポータブル機器（１０２、１６４）のケース上の、データおよび電源コネクタは、確立されるべき物理的および電気的カップリングを同時に可能とする。
【００１７】
ドッキングステーションの第３のコンポーネントは、ここではウォールボックス１４０として、そして図２および４において示される別の実施例においては、電源およびネットワークボックス（ＰＳＮ）２４０として解釈される電源およびネットワークボックス１４０である。図１の実施例においては、ウォールボックス１４０はドッキングステーション１１１の中に物理的に含まれている。図２（および４）の実施例においては、ウォールボックス１４０はドッキングステーションプラットフォーム１１０から物理的に分離されており、そして図２に示されるようにケーブル１１０ｍのコネクタ１１０ａおよび１１０ｈを通してドッキングステーションプラットフォームに結合される。どちらの実施例においても、ウォールボックス１４０およびＰＳＮ２４０によって提供される機能は極めて類似していることは、この説明を通して、心にとどめておくべきである。ウォールボックス１４０は動作しているモニタ１０２のための、そしてモニタ１０２の内部の（または取り付けられている）バッテリパックを充電するための電力を供給する。ウォールボックス１４０はまた、ドッキングステーション１１１が置かれている部屋の内側および外側の両方の、ネットワークおよび機器への通信リンクも提供する。
【００１８】
既知の通信インターフェイス、たとえばＲＳ−２３２インターフェイススタンダード、を用いてシリアル機器をポータブルモニタおよびネットワーク上のリモートステーションに接続するための、８つのマルチベンダーポート（ＭＶＰ）１３０が設けられている。
【００１９】
ポータブルモニタ１０２は、自己充足の、スタンドアロンのモニタ装置である。モニタ１０２は、処理に必要な全ての処理用電子回路、ディスプレイおよび移送の間の患者データ蓄積装置を含んでいる。ここで説明されている実施例においては、ポータブルモニタ１０２は、移送の間のネットワークインターフェイスの広範囲の適用を含んではおらず、例としてのモニタ１０２は中央モニタ装置への、または通信ネットワークへの、いかなる接続も持っていない。ポータブルモニタ１０２は、移送の間に使用するための再充電可能なバッテリパックを持っている。ポータブルモニタはまた、外部電源から電力を受け取ることができる。電力は、ドッキングステーションプラットフォーム１１０を通してウォールボックス１４０から受け取ることができ、そしてウォールボックス１４０のポータブル版、すなわちＰＳＮ２４０、の場合には、これは電気ケーブルを用いて受け取るか、またはモニタ１０２のケース上にＰＳＮ２４０を直接的に取り付けることによって受け取ることができる。
【００２０】
ベッドサイドディスプレイ１２０は、ドッキングステーション１１１からの表示のための信号を受け取るスレーブユニットであることができる。そうでなければ、ベッドサイドディスプレイ１２０は、ユーザーインターフェイスを完備したインテリジェントディスプレイであってもよい。そうでなければ、ベッドサイドディスプレイはＶＧＡディスプレイと一般的なディスク蓄積装置を持ったインテリジェントワークステーション１２２であってもよい。
【００２１】
図２は、図１のドッキングステーションプラットフォーム１１０、ＰＳＮ２４０およびモニタ組立１００を含む、本発明の実施例の等角図を示している。ドッキングステーションプラットフォーム１１０は、１つまたはそれ以上のケーブル１４２によってＰＳＮ２４０に接続される。ポータブルモニタ１０２は、物理的支持、電力および通信を提供するドッキングステーションプラットフォーム１１０’上に取り付けられる。モニタ１０２は、データ取得ポッド１５０および１５２からの生理学的データ信号を取得する。ポッド１５０はＥＣＧ、ＳＰＯ２および温度センサからのデータを提供する。ポッド１５２は、侵入血圧、心臓出力および温度センサからのデータを提供する。非侵入型血圧カートリッジ１６０および終了呼吸ＣＯ２カートリッジ１６２は、付加的患者データを収集する。カートリッジ１６０および１６２、並びにバッテリパック１６６は図解の目的からポータブルモニタ１０２のケースに個別に取り付けられている。レコーダ１６４はドッキングステーション１１０”上の取り付けを通してモニタ装置に接続されるよう示されている。注意すべきことは、図２は特定の患者モニタ区域における多数のドッキングステーションプラットフォーム１１０を描いているということである。病院または他の健康管理施設においては、ドッキングステーションプラットフォーム１１０は、地理的に分離された区域内において、その施設に分散されるものであるが、しかしそれらはウォールボックス１４０、ＰＳＮ２４０および装置通信ネットワークを通して互いに患者データを伝送するために接続される。
【００２２】
図３は、ポータブル機器が取り付けられる、ドッキングステーションプラットフォーム１１０の一例の分解図を示している。ケーブル１１０ｍは、ドッキングステーションを通してＰＳＮ２４０からポータブル機器まで電気信号を運搬する。ケーブル２６８は図１に示されている導体１２６から１３９上で信号を運搬する。ケーブル１１０ｍのドッキングステーション端におけるコネクタ１１０ａは、トロリー１１０ｇに取り付けられ、そしてケーブル１１０ｍの他端におけるコネクタ１１０ｈはポータブル機器に取り付けられる。
【００２３】
ドッキングステーショントップカバー１１０ｂは、保護カバーとして機能するだけでなく、その上に種々のポータブル機器を取り付けるためのガイドとして機能する。カバー１１０ｂは先細の外側エッジと滑らかに丸められた外側表面を用いて初期整列を提供する。一旦整列されたなら、トップカバーの外側に沿った外形は位置決めキー１１０ｆを用いてポータブル機器を正確な最終整列位置に押し込む。キー１１０ｆは、トップカバー１１０ｂの表面において多くの整形された刻み目の１つを含んでいる。一旦位置決めされると、トップカバー１１０ｂ上の左および右側から柔軟につきだしているロッキングレールスナップ１１０ｄが機器をドッキングステーションに固定する。その結果、ドッキングステーショントロリー１１０ｇを前進させるようにカム係合しているレバーアーム１１０ｃを移動させることにより、ドッキングステーションの電気的コネクタ１１０ａは、ポータブル機器の相当するコネクタと噛み合うようポータブル機器の相当する電気的コネクタと係合する。ポータブル機器は、レバーアーム１１０ｃを最初の位置に戻すよう移動させることにより、係合解除でき、そしてトップカバー１１０ｂの両側からの突き出しから柔軟なロッキングスナップ１１０ｄを収縮させるようなカムの逆転動作を用いることにより、レバーアーム１１０ｃが付加的な量を移動して解放が行われ、これによってポータブル機器がポータブルドッキングステーションから取り外される。
【００２４】
位置決めキー１１０ｆは、ポータブル機器およびドッキングステーションプラットフォーム１１０の正確な整列のために好都合である。加えて、これらのキーは周辺ドッキングステーションプラットフォーム１１０’上へのポータブルモニタの、またはモニタドッキングステーションプラットフォーム１１０”上への周辺機器（すなわちレコーダ）の不注意な設置を防止する。
【００２５】
ドッキングステーション機構構成の多くの変形が可能である。これらはポータブルモニタ１０２とドッキングステーション１１１との間のデータ伝送に用いられる異なる技術によるものである。それらの技術の例は、赤外線および無線周波数伝送技術を含んでいる。当業技術者は、そのような技術のいくらかはケーブル１１０ｍと共に、またはそれを置換するように用いることが可能であることを理解するであろう。
【００２６】
取り付けアダプタ１１０ｅは、（示されていない）点滴（ＩＶ）支柱、シェルフ、取り付けアームまたはベッドフレームに限らず、種々の場所にドッキングステーションプラットフォーム１１０を取り付けるのに用いることができる。ドッキングステーションプラットフォーム１１０をベッドまたはＩＶ支柱に取り付ける時は、その両方とも可動性のものであるため、ドッキングステーションを電力に、機器に、およびドッキングステーションが置かれている部屋の外側のネットワークに結合させるため、固定した位置にウォールボックス１４０を設けることが望ましい。壁の上に取り付けられたＰＳＮ２４０は、この目的のために適切である。
【００２７】
再び図３を参照すると、ケーブル１１０ｍは、ポータブル機器がドッキングステーションプラットフォーム１１０の上にあるときは、ポータブル機器から外部機器への、およびネットワークへの、データ通信リンクの他、ポータブル機器への電力を供給する。ケーブル１１０ｍは、ローカルエリアネットワーク（ＬＡＮ）に直接的にインターフェイスする一般的なコネクタであってもよい。ネットワークは衝突検出（ＣＳＭＡ／ＣＤ）を持つキャリアセンスマルチプルアクセスのような種々の既知ＬＡＮプロトコルの１つを用いることができる。加えて、データは一般的な患者モニタ装置ベッドサイドディスプレイ１２０に、および／またはカスタマイズされたインテリジェントワークステーション１２２に出力されることができる。ドッキングステーション１１１は、ポータブルモニタ１０２に接続されている電気的パスとは電気的に絶縁されている。
【００２８】
ドッキングステーション１１１は、これがドッキングステーションプラットフォーム１１０の上に取り付けられている時には、機器を動作させるために、ケーブル１１０ｍを通してポータブルモニタ１０２に１２ボルトＤＣ電力を提供する。ポータブルモニタ１０２は、バッテリ充電器およびニッケルカドミウム電池１６６（図１に示されている）を含んでいる。バッテリ充電器は、電池に充電するために備えられているコネクタおよびスイッチを含んでいる。ドッキングステーション１１１は、スイッチを作動させるためにバッテリ充電器に信号を伝送し、その結果、バッテリ充電器はポータブルモニタ１０２がドッキングステーション上に取り付けられている間、電池１６６を再充電する。
【００２９】
ポータブルモニタ１０２は、モニタされている生理学的パラメータに関するアラーム処理を含んでいる。それらアラーム条件のいくつかが存在するならば、ポータブルモニタ１０２は、ドッキングステーション１１１にアラーム信号を提供する。ドッキングステーション１１１は、ポータブルモニタがドッキングステーション上に取り付けられている間、ポータブルモニタによってそれら信号が発生されるならば、アラーム信号を受け取るためにケーブル１１０ｍ内に分離されたラインを含んでいる。アラーム出力信号は、ドッキングステーションプラットフォーム１１０によって受け取られ、そして光またはサイレンのようなローカルアラーム機器を作動させるためのリレーを閉じさせるため、ライン１２６を通してウォールボックス１４０に伝送される。
【００３０】
ドッキングステーション１１１はまた、細動除去器をトリガするために用いることができる同期化信号をポータブルモニタ１０２から受け取ることができる。この信号は次にＰＳＮ２４０から出力される。
【００３１】
図４は、電源ネットワークボックス２４０を示している。ＰＳＮ２４０は、複数のローカルエリアネットワーク（ＬＡＮ）またはシリアルまたはパラレルビットデータリンクを含むことができる通信リンクにドッキングステーションプラットフォーム１１０を結合させる。ＰＳＮ２４０は、それらＬＡＮを通しての伝送のためにドッキングステーション出力信号を条件づけするためのバッファ増幅器を含んでいる。第２の実施例においては、ＰＳＮ２４０は、ポータブル機器と、ＬＡＮ１７４に接続されている他の装置との間の２方向通信を提供する（示されていない）ネットワークインターフェイスカードを含んでいる。このＬＡＮ１７４は、患者データを転送するためにポータブル機器と、リモートステーションを持つベッドサイドディスプレイ１２０とを接続する。リモートステーションは、患者モニタ装置またはコンピュータであってもよい。このＬＡＮ１７４は、２秒以内のメッセージ遅延を発生するように構成されている。当業技術者にとっては、いくつかのＬＡＮプロトコルがＬＡＮ１７４として使用することができることを理解するであろう。
【００３２】
実施例においては、ＰＳＮ２４０は、電子工業協会のＲＳ−２３２Ｃインターフェイス標準のようなプロトコルを用いてベッドサイドディスプレイに直接的なビデオ接続を提供する。ポータブルモニタ１０２がドッキングステーションプラットフォーム１１０上にある時、モニタ１０２は、ＲＳ−２３２Ｃリンクを用いてベッドサイドディスプレイ１２０を駆動する。そうでなければ、ＰＳＮ２４０は、たとえばＰＳＮ２４０への１０Ｍビット／秒のＣＳＭＡ／ＣＤ  ＬＡＮであってもよい（デバイスＬＡＮとして知られている）第２ＬＡＮ１７２とインターフェイスするための（示されていない）第２の一般的なインターフェイスカードを含むこともできる。デバイスＬＡＮは患者データを、病室または手術室の室内で、または中央ステーションを通して、分配するために用いられる。デバイスＬＡＮは、ポータブルモニタ１０２から同じ部屋にあるベッドサイドディスプレイ１２０に、ほとんどリアルタイムで患者データを転送するための主通信パスを提供する。このＬＡＮは、短い遅延を保つよう構成され、そして通常２００ミリ秒のデバイス間応答時間まで許容されている。
【００３３】
ＰＳＮ２４０は、（示されていない）第３インターフェイスカードと、そして入力および出力機器を接続するための付加的ＬＡＮへの結合を提供する分離された接続１３８を含んでいる。この付加的ＬＡＮは、予め知られている応答時間となるよう、デバイスポーリングを持つハイレベルデータリンク制御（ＨＤＬＣ）のようなプロトコルを使用することもできる。この付加的ＬＡＮは、マイクロＬＡＮ１７０として知られている。マイクロＬＡＮは入力および出力機器を、ドッキングステーション１１１によってポータブルモニタ１０２に接続するために用いられる。（図１に示されている）これらの機器は、キーボード１８２、ポインティングデバイス１８４、音声認識装置１８６、バーコード読みとり器１８８、ラベルプリンタ１９０、およびリモート制御１９２を含むことができる。リモート制御１９２は、有線または赤外線（ＩＲ）のいずれであってもよい。手術室光線が、ＩＲ制御信号をひずませるため、手術室（ＯＲ）環境においては有線リモート制御がより望ましいかもしれない。
【００３４】
実施例においては、３つの別個のＬＡＮがドッキングステーションをリモートステーションに、ローカルステーション（すなわち同室内のそれら）に、そしてＩ／Ｏ機器に、接続するために用いられてはいるが、データ通信の分野における技術者は、それら異なる型式のトラフィックに関して望ましいレベルの性能および信頼性を達成するために種々のネットワーク構成が用いられることを理解するだろう。加えて、偶然の、または権威づけされていない使用を防止するために、機器または、分離されたＬＡＮ上の複数の機器のクラスを絶縁することにより、患者を保護するよう、ネットワーク構成は特別あつらえされることもできる。より小さな据え付けは、患者モニタトラフィックの全てを収容するための施設内に１つのローカルエリアネットワークを備えることである。
【００３５】
ＰＳＮ２４０（およびウォールボックス１４０）は、ポータブルモニタ１０２からのディジタルデータを受信し、そしてそのディジタルデータから複数のアナログ波形信号を発生する、（明確には示されていない）デマルチプレクサおよびＤ／Ａコンバータを含んでいる。このアナログ信号はポート１２９に送られる。４つのアナログ出力ポートは、外部機器（たとえばディスプレイレコーダ）への伝送のために波形データを提供する。こうして、モニタによって収集されたデータを表示するために、（実施例においてはディジタル形式で患者データを提供する）ポータブルモニタに現存するアナログ装置が接続されることができる。（ポータブルモニタ１０２またはドッキングステーションプラットフォーム１１０の内部で行うのではなく、ＰＳＮ２４０の内部でデマルチプレクスすることにより、モニタ１０２とドッキングステーションプラットフォーム１１０との間の、そしてドッキングステーションプラットフォーム１１０とＰＳＮ２４０との間の電気的結合が簡単化される。
【００３６】
ＰＳＮボックス２４０は、ブラケット２６０上で壁、ベッドまたは何らかの他の支持物に取り外し可能な形で取り付けることができる。図４に示されるように、ブラケット２６０は、取り付け穴２６１を通してねじ込まれる一般的な留め具を用いて壁または他の永久的な表面に永久的に取り付けられることができる。
【００３７】
実施例においては、ＰＳＮボックス２４０の背面の（明確には示されていない）プレートは、ブラケット２６０の溝２６２と２６４との間に形成されるチャンネル２６６内を滑り落ちる。ブラケット２６０は、取り付け穴２６１を通してねじ込まれる一般的な留め具を用いて、壁または他の永久的な表面に永久的に取り付けられることができる。ＰＳＮボックス２４０は、（示されていない）それぞれのケーブルを受けるために、複数のコネクタ２４４、２４５、２４６、２４７、２４８、２４９および２５０を含んでいる。図３において示されたように、ＰＳＮ２４０を参照しながら既に説明されている通り、ケーブルはＰＳＮボックス２４０をネットワークにおよび電源に結合させる。コネクタ２５０は室内からＡＣ電力を受ける。コネクタ２４４および２４５は一般目的のシリアルポートを提供する。コネクタ２４６は、ベッドサイドディスプレイ１２０へのシリアルおよびビデオ接続を提供する。コネクタ２４７は、ＬＡＮ１７４への接続を提供する。コネクタ２４８および２４９は、周辺ドッキングステーション１１１へのコネクタを提供する。ＰＳＮボックス２４０はまた、囲われた煙突形ヒートシンク２４２をも含んでいる。
【００３８】
前に説明した米国特許第５，３７５，６０４号において示されているように、ＰＳＮ２４０はまた「半永久的」方法でモニタ１０２に取り付けることもできる。ＰＳＮ２４０はモニタ１０２に直接的に取り付けられる時、ドッキングステーションプラットフォーム１１０は使用されない。
【００３９】
図４に示されるＰＳＮボックス２４０は、ＰＳＮ２４０に関して可能な機械的および電気的構成の単に１つの例である。他の構成は、ポータブルモニタ１０２に直接的に取り付けられるような変更や、または、より少ないかより多い回路ボードおよびコネクタをもつような変更を持つことができる。図４に示される構成においては、ＰＳＮボックス２４０はドッキングステーション１１１によって提供される機能（すなわちウォールボックス１４０の機能）の一部を引き受けている。
【００４０】
図４に示される例としてのＰＳＮ２４０が、図１に示されるウォールボックス１４０のように多くのポートを持たないとしても、当業技術者は、ＰＳＮボックスがウォールボックス１４０と同じ数の、そして同じ型式のポートで構成できることを理解するであろう。内部的には、ＰＳＮは、ウォールボックス１４０と同じネットワークインターフェイスカードおよび電子回路の構成を含むことができる。当業技術者は、ＰＳＮ２４０が望み通り付加的なインターフェイスを持つように構成することもでき、または例としてのＰＳＮ２４０のようにより小さな据え付けにおいて用いる観点からインターフェイスを減少させて適合させることもできる。
【００４１】
ウォールボックス１４０とＰＳＮボックス２４０との間の主要な差異は、機械的容器である。図４において示される構成においては、ＰＳＮボックス２４０はウォールボックス１４０の機能限定変更である。
【００４２】
図５−図９は、ポータブルモニタ１０２の移動の種々の概要を描いている。図２は、（共通のＰＳＮ２４０に接続された多数のプラットフォーム１１０を含んでいる）単に１つのドッキングステーション１１１のみを描いているとしても、健康管理施設においては、物理的に互いに他から分離された、そして監視区域にわたって分散された多くのドッキングステーション１１１が存在することを思い出さなければならない。たとえば、それらは別々の患者の部屋や、および緊急治療室、手術室および集中治療室における別々の患者ベッドのような、地理的に分離された患者モニタ区域に置かれるのが標準的である。ポータブルモニタ１０２がプラットフォーム１１０を通してＰＳＮ２４０に接続される以前は、製造者によってそのメモリ内にプログラムされたデフォルトセットアップからなるセットアップか、または現在使用されているセットアップを有している。新しい患者モニタ区域に到着して新しいＰＳＮ２４０に接続されることにより、ソフトウェアアプリケーション情報、およびＰＳＮメモリ５０１および５０２、すなわちランダムアクセスメモリ（ＲＡＭ）内にプログラムされたモニタ構成を含むセットアップ情報が、ケーブル２６８を通してモニタ１０２内のＲＡＭメモリ５０３および５０４内にロードされる。モニタ構成は、すなわち波形表示有線、波形速度サイズ、表示輝度、モニタ音量等を含み、そしてモニタソフトウェアアプリケーション情報は、特定の患者データ処理ソフトウェアのモニタ１０２における始動を可能とさせるのに必要な安全キー、またはソフトウェアアプリケーションそれ自体を含んでいる。
【００４３】
図６は、移送の間のモニタ１００に、すなわちこれがドッキングステーション１１１から分離されている、を描いている。この場合には、モニタ１０２内のＲＡＭ５０３および５０４が緊急治療室内で決められたような、そのセットアップを維持している。
【００４４】
図７は、手術室（ＯＲ）内に置かれているＲＳＮ２４０に、モニタ１０２が接続された後を描いている。ＯＲ  ＰＳＮ２４０は、そのメモリの１つとして、ＯＲソフトウェアアプリケーションおよびモニタ構成をロードされたＥＥＰＲＯＭを含んでいる。そのＯＲドッキングステーション１１０へのその接続によって、すなわちプラットフォーム１１０への電気的接続によってか、または（示されていない）セットアップスイッチ／押しボタンのユーザー操作によってかのいずれかによって自動的に、セットアップが次にモニタ１０２に転送される。
【００４５】
図８は、集中治療病棟（ＩＣＵ）へのモニタ１０２の移送を描いている。移送の間は、モニタ１０２内のメモリ５０３および５０４が、ＯＲにおいてそれにプログラムされたセットアップ情報（モニタ構成およびソフトウェアアプリケーション）を維持していることに注目すべきである。
【００４６】
図９は、ＩＣＵにおいてドッキングステーションプラットフォーム１１０へのその接続による、モニタ１０２のセットアップの再構成を描いている。ＩＣＵにおいては、（これもまたＩＣＵに設けられたＰＳＮ２４０内のＥＥＰＲＯＭ内に蓄積されている）サイト特定セットアップが次にモニタ１０２内のメモリ５０３および５０４に転送されることに注目すべきである。
【００４７】
図１０は、本発明の理解に関連した、モニタ１０２およびドッキングステーション１１１の部分の機能ブロック図を描いている。ドッキングステーション１１１は、サイト特定セットアップを含む不揮発性メモリ（ＮＶＲＡＭ）を含んでいる。ソフトウェアアプリケーション情報は、ポータブルモニタ１０２上で稼動することを（プレペイドライセンスによって）許されている、ソフトウェアアプリケーションの型式または数を制御するキー（パスワード）であることができることに注目すべきである。電源６０２および機器インターフェイス６０３もまた示されている。
【００４８】
モニタ１０２は、ドッキングステーションプラットフォーム１１０に接続された機器として描かれている。モニタ１０２はまた、製造者によって提供されているデフォルトセットアップ情報を含む不揮発性メモリ（ＮＶＲＡＭ）と、現在セットアップ情報（モニタ構成およびそのＣＰＵ６１４を通してモニタによって用いられるソフトウェアライセンス）を含む電池でバックアップされるメモリ（ＢＲＡＭ）６１２を含んでいる。モニタ１０２の一部としてさらに示されているのは、電池６１６、電源６１８、ユーザーインターフェイス６２０および、ドッキングステーション１１１における機器インターフェイス６０３とインターフェイスするためのドッキングステーションインターフェイス６２２である。
【００４９】
図１１−図１４は、ポータブルモニタ再構成装置の動作を理解するために有益な流れ図を描いている。図１１に示されるように、この装置はイベント同定および処理の連続的ループとして働く。安定状態条件７０２は、モニタ１０２がドッキングステーション１１１に接続されている場合か、またはこれが接続解除されて電気電力で稼動しているときである。基本的には、以下のイベントの１つを検出して個別に開始される、３つの異なるループ７０４、７０６および７０８が存在し、その１は接続直後、２は接続解除直後、および３はユーザーが構成変更をリクエストした状態である。どのイベントが検出されたかをもとにして、図１２、図１３または図１４の流れ図が実行される。
【００５０】
図１２は、接続処理７０４流れ図を描いている。ステップ７１０はドッキングステーションがイニシャライズされているかどうかを問う。もしイニシャライズされていないならば、ステップ７１２はモニタＮＶＲＡＭからドッキングステーションＮＶＲＡＭにデフォルトセットアップをコピーすることにより、ドッキングステーションをイニシャライズする。もしステップ７１０が、ドッキングステーションがイニシャライズされていると決めるならば（およびステップ７１２が完了しても）、ステップ７１４はドッキングステーションからポータブル機器にセットアップをアップロードする。このことは、ドッキングステーションＮＶＲＡＭからポータブルモニタＢＲＡＭにポータブル機器構成をコピーすることにより、そしてドッキングステーションＮＶＲＡＭからポータブルモニタＢＲＡＭにソフトウェアライセンスキーをコピーすることにより実行される。次に、ステップ７１６によって描かれているように、ポータブルモニタはそのＲＡＭに転送されたデータによって再構成される。このことは、新しい構成による、そのソフトウェア制御された構成を再イニシャライズすることを必要とし、そしてそのＢＲＡＭ内に新しく蓄積されたソフトウェアライセンスキーによって特定されるようなソフトウェアアプリケーションを動作可能とする。
【００５１】
第１３図は、接続解除処理の流れ図７０６を描いている。ステップ７１８は、ドッキングステーションへのアクセスを不可能とさせる。その後、ステップ７２０および７２２は、そのライセンスがそのＢＲＡＭ内に蓄積されている構成およびソフトウェアアプリケーションを用いて、ポータブルモニタが続いて動作を継続するよう指図されていることを表している。
【００５２】
図１４はセーブリクエスト処理流れ図７０８を示している。ステップ７２４は、セーブリクエスト処理を受け取ったことにより、ポータブルモニタＢＲＡＭ内に蓄積されていた構成がドッキングステーションＮＶＲＡＭに転送されることを示している。
【００５３】
当業技術者にとっては、ここで説明された実施例の多くの変形が計画できることを理解するであろう。本発明が実施例によって説明されたとはいえ、特許請求の範囲の精神および範囲内の変更によって上に述べた変形の実行を計画することができる。
【００５４】
【発明の効果】
再構成可能なポータブル患者モニタ装置を提供することができる。
【図面の簡単な説明】
【図１】  本発明によって構成された患者モニタ装置を形成するブロック図。
【図２】  図１に示されたドッキングステーションプラットフォーム、患者モニタ、レコーダおよび他の周辺機器の等角投影図。
【図３】  図２に示された１つのドッキングステーションプラットフォームの分解図。
【図４】  図２に示されるウォールボックスとして用いるのに適当な装置の等角全面図。
【図５】  図２に示された装置のポータブルモニタの１つの移動の概要を示す図。
【図６】  図２に示された装置のポータブルモニタの別の移動の概要を示す図。
【図７】  図２に示された装置のポータブルモニタの別の移動の概要を示す図。
【図８】  図２に示された装置のポータブルモニタの別の移動の概要を示す図。
【図９】  図２に示された装置のポータブルモニタの別の移動の概要を示す図。
【図１０】  図２に示されたモニタおよびドッキングステーションの部分を形成する機能ブロック図。
【図１１】  図２に示されたモニタおよびドッキングステーションの動作を理解するための１つの有益な流れ図。
【図１２】  図２に示されたモニタおよびドッキングステーションの動作を理解するための別の有益な流れ図。
【図１３】  図２に示されたモニタおよびドッキングステーションの動作を理解するための別の有益な流れ図。
【図１４】  図２に示されたモニタおよびドッキングステーションの動作を理解するための別の有益な流れ図。
【符号の説明】
１００          患者モニタドッキングステーション装置
１０２          ポータブルモニタ
１１０          ドッキングステーションプラットフォーム
１１１          ドッキングステーション
１２０          ベッドサイドディスプレイ
１２２          コンピュータまたはインテリジェントワークステーション
１２４          大型ビデオディスプレイ
１２６−１３９        導体
１４０          ウォールボックス
１４２          ケーブル
１５０，１５２          データ取得ポッド
１６０          非侵入型血圧カートリッジ
１６２          終了呼吸ＣＯ２カートリッジ
１６４          ストリップチャートレコーダ
１６６          バッテリパック
１７０，１７２，１７４          カップリング
１８２          キーボード
２４０          電源およびネットワークボックス
２４２          ヒートシンク
２４４−２５０        コネクタ
２６０          ブラケット
２６１          取り付け穴
２６２，２６４          溝
２６６          チャンネル
２６８          ケーブル
５０１，５０２          ＰＳＮメモリ
５０３，５０４          ＲＡＭメモリ
６０２          電源
６０３          機器インターフェイス
６１２          ＢＲＡＭ
６１４          ＣＰＵ
６１６          電池
６１８          電源
６２２          ドッキングステーションインターフェイス
【図１】
0003850483.tif 000002
【図２】
0003850483.tif 000003
【図３】
0003850483.tif 000004
【図４】
0003850483.tif 000005
【図５】
0003850483.tif 000006
【図６】
0003850483.tif 000007
【図７】
0003850483.tif 000008
【図８】
0003850483.tif 000009
【図９】
0003850483.tif 000010
【図１０】
0003850483.tif 000011
【図１１】
0003850483.tif 000012
【図１２】
0003850483.tif 000013
【図１３】
0003850483.tif 000014
【図１４】
0003850483.tif 000015